(57)【要約】【課題】  全系が小型でありながら、高いズーム比を有し、広いズーム範囲にわたり高い光学性能を有するズームレンズを得ること。【解決手段】  物体側から像側へ順に配置された、正の屈折力の第１レンズ群、負の屈折力の第２レンズ群、正の屈折力の第３レンズ群、負の屈折力の第４レンズ群を有し、ズーミングに際して隣り合うレンズ群の間隔が変化するズームレンズにおいて、ズーミングに際して、前記第１レンズ群は不動であり、望遠端におけるレンズ全長ＤＴ、望遠端における前記ズームレンズの焦点距離ｆＴ、広角端におけるバックフォーカスの距離ＢＷ、広角端におけるレンズ全長ＤＷ、前記第３レンズ群の焦点距離ｆ３を各々適切に設定したこと。【選択図】図１
2020160198.tif 000002
【特許請求の範囲】
【請求項１】
物体側から像側へ順に配置された、正の屈折力の第１レンズ群、負の屈折力の第２レンズ群、正の屈折力の第３レンズ群、負の屈折力の第４レンズ群を有し、
ズーミングに際して隣り合うレンズ群の間隔が変化するズームレンズにおいて、
ズーミングに際して、前記第１レンズ群は不動であり、
望遠端におけるレンズ全長をＤＴ、望遠端における前記ズームレンズの焦点距離をｆＴ、広角端におけるバックフォーカスの距離をＢＷ、広角端におけるレンズ全長をＤＷ、前記第３レンズ群の焦点距離をｆ３とするとき、
０．３０＜ＤＴ／ｆＴ＜０．８５
０．０２＜ＢＷ／ＤＷ＜０．１４
０．１４５＜ｆ３／ｆＴ＜０．４５０
なる条件式を満足することを特徴とするズームレンズ。
【請求項２】
前記第４レンズ群の焦点距離をｆ４とするとき、
−２．０＜ｆ３／ｆ４＜−０．４
なる条件式を満足することを特徴とする請求項１に記載のズームレンズ。
【請求項３】
前記第１レンズ群の焦点距離をｆ１とするとき、
０．３１＜ｆ３／ｆ１＜０．８０
なる条件式を満足することを特徴とする請求項１又は２に記載のズームレンズ。
【請求項４】
前記第２レンズ群の焦点距離をｆ２とするとき、
−１．５０＜ｆ３／ｆ２＜−０．７０
なる条件式を満足することを特徴とする請求項１乃至３のいずれか１項に記載のズームレンズ。
【請求項５】
前記第４レンズ群の焦点距離をｆ４とするとき、
−０．６０＜ｆ４／ｆＴ＜−０．０８
なる条件式を満足することを特徴とする請求項１乃至４のいずれか１項に記載のズームレンズ。
【請求項６】
像ぶれ補正に際して前記第３レンズ群の一部または全体は、光軸に対して垂直方向の成分を持つ方向に移動することを特徴とする請求項１乃至５のいずれか１項に記載のズームレンズ。
【請求項７】
前記第３レンズ群は、物体側から像側へ順に、配置された正レンズと負レンズを接合した接合レンズ、正レンズよりなることを特徴とする請求項１乃至６のいずれか１項に記載のズームレンズ。
【請求項８】
前記第３レンズ群は、開口絞りを含むことを特徴とする請求項１乃至７のいずれか１項に記載のズームレンズ。
【請求項９】
ズーミングに際して前記第３レンズ群は不動であることを特徴とする請求項１乃至８のいずれか１項に記載のズームレンズ。
【請求項１０】
フォーカシングに際して前記第４レンズ群の一部または全体は移動することを特徴とする請求項１乃至９のいずれか１項に記載のズームレンズ。
【請求項１１】
前記第４レンズ群は、物体側から像側へ順に、配置された、正レンズ、負レンズよりなることを特徴とする請求項１乃至１０のいずれか１項に記載のズームレンズ。
【請求項１２】
前記第４レンズ群の像側に隣接して正又は負の屈折力の第５レンズ群を有することを特徴とする請求項１乃至１１のいずれか１項に記載のズームレンズ。
【請求項１３】
請求項１乃至１２のいずれか１項に記載のズームレンズと、該ズームレンズを介して形成された光学像を受光する撮像素子と、を有することを特徴とする撮像装置。
【発明の詳細な説明】
【技術分野】
【０００１】
本発明はズームレンズおよびそれを有する撮像装置に関し、例えばビデオカメラ、電子スチルカメラ、放送用カメラ、監視カメラ等のように撮像素子を用いた撮像装置に用いる撮像光学系として好適なものである。
【背景技術】
【０００２】
撮像装置に用いられる撮像光学系にはレンズ全長（第１レンズ面から像面までの距離）が短く、全系が小型（コンパクト）でしかも高ズーム比でズーム全域において高い光学性能を有するズームレンズであることが求められている。これらの要求に応えるズームレンズとして、最も物体側に正の屈折力のレンズ群を配置したポジティブリード型のズームレンズが知られている（特許文献１）。
【０００３】
また、手ぶれ等による撮影画像のぶれ（像ぶれ）を補正し、光学性能の低下を防止する防振機能を有するズームレンズが知られている（特許文献２）。
【０００４】
特許文献１では、物体側より像側へ順に、正の屈折力の第１レンズ群、負の屈折力の第２レンズ群、正の屈折力の第３レンズ群、負の屈折力の第４レンズ群より構成している。
【先行技術文献】
【特許文献】
【０００５】
【特許文献１】特開平１１―２０２２０２号公報
【発明の概要】
【発明が解決しようとする課題】
【０００６】
ポジティブリード型のズームレンズは全系の小型化を図りつつ、高ズーム比化を図ることが比較的容易である。一般にポジティブリード型ズームレンズでは、前方のレンズ群にて発生した収差が後方のレンズ群によって拡大される。このためポジティブリード型のズームレンズにおいて、レンズ全長を短くし、全系の小型化を図りつつ、全ズーム範囲にわたり高い光学性能を得るには、ズームタイプ（レンズ群の数や各レンズ群の屈折力の符号）を適切に設定することが重要になってくる。更にズームレンズを構成する各レンズ群のレンズ構成等を適切に設定することが重要になってくる。
【０００７】
本発明は、全系が小型でありながら、高いズーム比を有し、広いズーム範囲にわたり高い光学性能を有するズームレンズ及びそれを有する撮像装置の提供を目的とする。
【課題を解決するための手段】
【０００８】
本発明のズームレンズは、物体側から像側へ順に配置された、正の屈折力の第１レンズ群、負の屈折力の第２レンズ群、正の屈折力の第３レンズ群、負の屈折力の第４レンズ群を有し、ズーミングに際して隣り合うレンズ群の間隔が変化するズームレンズにおいて、ズーミングに際して、前記第１レンズ群は不動であり、望遠端におけるレンズ全長をＤＴ、望遠端における前記ズームレンズの焦点距離をｆＴ、広角端におけるバックフォーカスの距離をＢＷ、広角端におけるレンズ全長をＤＷ、前記第３レンズ群の焦点距離をｆ３とするとき、
０．３０＜ＤＴ／ｆＴ＜０．８５
０．０２＜ＢＷ／ＤＷ＜０．１４
０．１４５＜ｆ３／ｆＴ＜０．４５０
なる条件式を満足することを特徴としている。
【発明の効果】
【０００９】
本発明によれば、全系が小型でありながら、高いズーム比を有し、広いズーム範囲にわたり高い光学性能を有するズームレンズが得られる。
【図面の簡単な説明】
【００１０】
【図１】実施例１におけるズームレンズの広角端におけるレンズ断面図である。
【図２】（Ａ）、（Ｂ）、（Ｃ）  実施例１の、広角端の縦収差図、広角端の横収差図、ぶれ補正角−３．０度の像ぶれ補正時における広角端の横収差図である。
【図３】（Ａ）、（Ｂ）、（Ｃ）  実施例１の、望遠端の縦収差図、望遠端の横収差図、ぶれ補正角−１．５度の像ぶれ補正時における望遠端の横収差図である。
【図４】実施例２におけるズームレンズの広角端におけるレンズ断面図である。
【図５】（Ａ）、（Ｂ）、（Ｃ）  実施例２の、広角端の縦収差図、広角端の横収差図、ぶれ補正角−３．０度の像ぶれ補正時における広角端の横収差図である。
【図６】（Ａ）、（Ｂ）、（Ｃ）  実施例２の、望遠端の縦収差図、望遠端の横収差図、ぶれ補正角−１．５度の像ぶれ補正時における望遠端の横収差図である。
【図７】実施例３におけるズームレンズの広角端におけるレンズ断面図である。
【図８】（Ａ）、（Ｂ）、（Ｃ）  実施例３の、広角端の縦収差図、広角端の横収差図、ぶれ補正角−３．０度の像ぶれ補正時における広角端の横収差図である。
【図９】（Ａ）、（Ｂ）、（Ｃ）  実施例３の、望遠端の縦収差図、望遠端の横収差図、ぶれ補正角−１．５度の像ぶれ補正時における望遠端の横収差図である。
【図１０】実施例４におけるズームレンズの広角端におけるレンズ断面図である。
【図１１】（Ａ）、（Ｂ）、（Ｃ）  実施例４の、広角端の縦収差図、広角端の横収差図、ぶれ補正角−３．０度の像ぶれ補正時における広角端の横収差図である。
【図１２】（Ａ）、（Ｂ）、（Ｃ）  実施例４の、望遠端の縦収差図、望遠端の横収差図、ぶれ補正角−１．５度の像ぶれ補正時における望遠端の横収差図である。
【図１３】本実施例における撮像装置の概略図である。
【発明を実施するための形態】
【００１１】
以下に、本発明の好ましい実施の形態を、添付の図面に基づいて説明する。
【００１２】
本発明のズームレンズは、物体側から像側へ順に、配置された正の屈折力の第１レンズ群、負の屈折力の第２レンズ群、正の屈折力の第３レンズ群、負の屈折力の第４レンズ群を有し、ズーミングに際して隣り合うレンズ群の間隔が変化する。ズーミングに際して、第１レンズ群は不動である。
【００１３】
図１は本発明のズームレンズの実施例１の広角端におけるレンズ断面図である。
【００１４】
図２（Ａ）、（Ｂ）、（Ｃ）は本発明の実施例１（数値データ１）における広角端の縦収差図、広角端の横収差図、ぶれ補正角−３．０度の像ぶれ補正時における広角端の横収差図である。
【００１５】
図３（Ａ）、（Ｂ）、（Ｃ）は本発明の実施例１（数値データ１）における望遠端の縦収差図、望遠端の横収差図、ぶれ補正角−１．５度の像ぶれ補正時における望遠端の横収差図である。実施例１は、ズーム比３．９７、開口比５．６０〜６．３０程度のズームレンズである。
【００１６】
図４は本発明のズームレンズの実施例２の広角端におけるレンズ断面図である。
【００１７】
図５（Ａ）、（Ｂ）、（Ｃ）は本発明の実施例２（数値データ２）における広角端の縦収差図、広角端の横収差図、ぶれ補正角−３．０度の像ぶれ補正時における広角端の横収差図である。
【００１８】
図６（Ａ）、（Ｂ）、（Ｃ）は本発明の実施例２（数値データ２）における望遠端の縦収差図、望遠端の横収差図、ぶれ補正角−１．５度の像ぶれ補正時における望遠端の横収差図である。実施例２は、ズーム比３．４８、開口比５．６０〜６．３０程度のズームレンズである。
【００１９】
図７は本発明のズームレンズの実施例３の広角端におけるレンズ断面図である。
【００２０】
図８（Ａ）、（Ｂ）、（Ｃ）は本発明の実施例３（数値データ３）における広角端の縦収差図、広角端の横収差図、ぶれ補正角−３．０度の像ぶれ補正時における広角端の横収差図である。
【００２１】
図９（Ａ）、（Ｂ）、（Ｃ）は本発明の実施例３（数値データ３）における望遠端の縦収差図、望遠端の横収差図、ぶれ補正角−１．５度の像ぶれ補正時における望遠端の横収差図である。実施例３は、ズーム比４．９５、開口比５．６０〜６．６０程度のズームレンズである。
【００２２】
図１０は本発明のズームレンズの実施例４の広角端におけるレンズ断面図である。
【００２３】
図１１（Ａ）、（Ｂ）、（Ｃ）は本発明の実施例４（数値データ４）における広角端の縦収差図、広角端の横収差図、ぶれ補正角−３．０度の像ぶれ補正時における広角端の横収差図である。
【００２４】
図１２（Ａ）、（Ｂ）、（Ｃ）は本発明の実施例４（数値データ４）における望遠端の縦収差図、望遠端の横収差図、ぶれ補正角−１．５度の像ぶれ補正時における望遠端の横収差図である。実施例４は、ズーム比３．４８、開口比５．６０〜６．３０程度のズームレンズである。
【００２５】
図１３は、本発明の撮像装置の要部概略図である。
【００２６】
図１の実施例１、図４の実施例２のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群である。
【００２７】
ズーミングに際して第２レンズ群Ｌ２および第４レンズ群Ｌ４が互いに異なった軌跡で移動する。広角端に対して望遠端にて、第２レンズ群Ｌ２が像側へ、また、第４レンズ群Ｌ４が物体側へ移動する。また、無限遠から近距離のフォーカシングに際して第４レンズ群Ｌ４は像側へ移動する。
【００２８】
また、第３レンズ群Ｌ３を光軸に対して垂直方向の成分を持つ方向に移動（シフト）させることにより、像ぶれ補正（防振）を行っている。
【００２９】
図７の実施例３のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。
【００３０】
図１０の実施例４のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は負の屈折力の第５レンズ群である。
【００３１】
実施例３、４ではズーミングに際して第２レンズ群Ｌ２および第４レンズ群Ｌ４が互いに異なった軌跡で移動する。広角端に対して望遠端にて、第２レンズ群Ｌ２が像側へ、また、第４レンズ群Ｌ４が物体側へ移動する。また、無限遠から近距離へのフォーカシングに際して第４レンズ群Ｌ４は像側へ移動する。
【００３２】
また、第３レンズ群Ｌ３を光軸に対して垂直方向の成分を持つ方向に移動（シフト）させることにより、像ぶれ補正（防振）を行っている。
【００３３】
なお、各レンズ断面図においてＧＢは光学ローパスフィルターや赤外カットフィルター等の光学ブロックである。ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。ＳＰは開放Ｆナンバー（Ｆｎｏ）光束を決定（制限）する開口絞りの作用をするＦナンバー決定部材（開口絞り）である。また、ＯＡは光軸を示している。
【００３４】
なお、縦収差図において、球面収差における実線のｄはｄ線（波長５８７．６ｍｍ）、二点鎖線のｇはｇ線（波長４３５．８ｍｍ）を示す。非点収差における破線のＭはメリディオナル像面、実線のＳはサジタル像面を、倍率色収差におけるｇはｇ線によって表している。
【００３５】
また、横収差図は、各像高の収差を示しており、上から順に＋１０割、＋７割、中心、−７割、−１０割、の像高におけるｄ線の収差図を示している。破線はサジタル像面、実線はメリディオナル像面を表す。
【００３６】
実施例１、２のズームレンズは、物体側から像側へ順に、配置された正の屈折力の第１レンズ群Ｌ１、負の屈折力の第２レンズ群Ｌ２、正の屈折力の第３レンズ群Ｌ３、負の屈折力の第４レンズ群Ｌ４からなる。
【００３７】
実施例３、４では、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４を有する。更に第４レンズ群Ｌ４の像側に隣接して正又は負の屈折力の第５レンズ群Ｌ５からなる。実施例３では第５レンズ群Ｌ５は正の屈折力、実施例４では第５レンズ群Ｌ５は負の屈折力である。以上のレンズ構成とすることにより、全体をコンパクト（小型化）かつ簡易に構成し、かつ高いズーム比と良好な光学性能を得ている。
【００３８】
また、各実施例のズームレンズは、ズーミングに際して第１レンズ群Ｌ１が像面に対して不動である。本構成とすることにより、特に大型化しやすい第１レンズ群Ｌ１を駆動させる必要をなくし、駆動機構を簡素化している。
【００３９】
各実施例において、望遠端におけるレンズ全長（第１レンズ面から最終レンズ面までの距離に空気換算でのバックフォーカスの値を加えた値）をＤＴとする。望遠端におけるズームレンズの焦点距離をｆＴ、広角端におけるバックフォーカスの距離をＢＷとする。広角端におけるレンズ全長をＤＷ、前記第３レンズ群Ｌ３の焦点距離をｆ３とする。このとき、
０．３０＜ＤＴ／ｆＴ＜０．８５          ・・・（１）
０．０２＜ＢＷ／ＤＷ＜０．１４          ・・・（２）
０．１４５＜ｆ３／ｆＴ＜０．４５０      ・・・（３）
なる条件式を満たす。
【００４０】
次に前述の各条件式の技術的意味について説明する。
【００４１】
条件式（１）の上限値を超えるとレンズ全長ＤＴの値が大きくなり過ぎ、ズームレンズ全体が大型化するため好ましくない。条件式（１）の下限値を超えるとレンズ全長ＤＴの値が小さくなり過ぎ、各レンズ群の屈折力の絶対値が強くなり（大きくなり）過ぎることにより諸収差の補正が困難となるため好ましくない。
【００４２】
条件式（２）の上限値を超えるとバックフォーカスＢＷの値が大きくなり過ぎ、ズームレンズ全体が大型化するため好ましくない。条件式（２）の下限値を超えるとバックフォーカスＢＷの値が小さくなり過ぎ、ズームレンズと撮像面とが干渉しやすくなるため好ましくない。
【００４３】
条件式（３）の上限値を超えると第３レンズ群Ｌ３の焦点距離ｆ３の値が大きくなり過ぎ、第３レンズ群Ｌ３の正の屈折力が弱くなり過ぎることでズームレンズ全体が大型化してくるため好ましくない。条件式（３）の下限値を超えると焦点距離ｆ３の値が小さくなり過ぎ、第３レンズ群Ｌ３の正の屈折力が強くなり過ぎて、球面収差やコマ収差の補正が困難となる。あるいは第３レンズ群Ｌ３を光軸と垂直方向に移動（シフト）させて像ぶれ補正を行った際に偏心収差の補正が困難となるため好ましくない。
【００４４】
なお、各実施例において、より好ましくは、条件式（１）乃至（３）の数値範囲を次のように設定するのが良い。
【００４５】
０．３２＜ＤＴ／ｆＴ＜０．８５          ・・・（１ａ）
０．０３＜ＢＷ／ＤＷ＜０．１３          ・・・（２ａ）
０．１５０＜ｆ３／ｆＴ＜０．４３０      ・・・（３ａ）
また、よりさらに好ましくは、条件式（１ａ）乃至（３ａ）の数値範囲を次のように設定するのが良い。
【００４６】
０．３５＜ＤＴ／ｆＴ＜０．８４          ・・・（１ｂ）
０．０４＜ＢＷ／ＤＷ＜０．１２          ・・・（２ｂ）
０．１５５＜ｆ３／ｆＴ＜０．４００      ・・・（３ｂ）
各実施例において好ましくは次の条件式のうち１つ以上を満足するのが良い。
【００４７】
第４レンズ群Ｌ４の焦点距離をｆ４とする。第１レンズ群Ｌ１の焦点距離をｆ１とする。第２レンズ群Ｌ２の焦点距離をｆ２とする。
【００４８】
このとき次の条件式のうち１つ以上を満足するのが良い。
【００４９】
−２．０＜ｆ３／ｆ４＜−０．４          ・・・（４）
０．３１＜ｆ３／ｆ１＜０．８０          ・・・（５）
−１．５０＜ｆ３／ｆ２＜−０．７０      ・・・（６）
−０．６０＜ｆ４／ｆＴ＜−０．０８      ・・・（７）
次に前述の条件式の技術的意味について説明する。
【００５０】
条件式（４）の上限値を超えると焦点距離ｆ３の値が小さくなり過ぎ、第３レンズ群Ｌ３の正の屈折力が強くなり過ぎて球面収差やコマ収差の補正が困難となる。あるいは第３レンズ群Ｌ３を光軸に対して垂直方向の成分を持つ方向に移動（シフト）させて防振（像ぶれ補正）を行った際に偏心収差の補正が困難となるため好ましくない。条件式（４）の下限値を超えると焦点距離ｆ３の値が大きくなり過ぎ、第３レンズ群Ｌ３の正の屈折力が弱くなり過ぎて、ズームレンズ全体が大型化してくるため好ましくない。
【００５１】
条件式（５）の上限値を超えると焦点距離ｆ３の値が大きくなり過ぎ、第３レンズ群Ｌ３の正の屈折力が弱くなり過ぎて、ズームレンズ全体が大型化してくるため好ましくない。条件式（５）の下限値を超えると焦点距離ｆ３の値が小さくなり過ぎ、第３レンズ群Ｌ３の正の屈折力が強くなり過ぎて球面収差やコマ収差の補正が困難となる。あるいは第３レンズ群Ｌ３を光軸に対して垂直方向の成分を持つ方向に移動（シフト）させて防振を行った際に偏心収差の補正が困難となるため好ましくない。
【００５２】
条件式（６）の上限値を超えると焦点距離ｆ３の値が小さくなり過ぎ、第３レンズ群Ｌ３の正の屈折力が強くなり過ぎて球面収差やコマ収差の補正が困難となる。あるいは第３レンズ群Ｌ３を光軸に対して垂直方向の成分を持つ方向に移動（シフト）させて防振を行った際に偏心収差の補正が困難となるため好ましくない。条件式（６）の下限値を超えると焦点距離ｆ３の値が大きくなり過ぎ、第３レンズ群Ｌ３の正の屈折力が弱くなり過ぎてズームレンズ全体が大型化するため好ましくない。
【００５３】
条件式（７）の上限値を超えると焦点距離ｆ４の絶対値が小さくなり過ぎ、第４レンズ群Ｌ４の負の屈折力が強くなり過ぎて像面湾曲や歪曲収差の補正が困難となる。あるいは第４レンズ群Ｌ４を光軸に沿って移動させてフォーカシングを行った際の諸収差の変動が大きくなり過ぎるため好ましくない。条件式（７）の下限値を超えると焦点距離ｆ４の絶対値が大きくなり過ぎ、第４レンズ群Ｌ４の負の屈折力が弱くなり過ぎて、ズームレンズ全体が大型化してくるため好ましくない。
【００５４】
なお、各実施例において、より好ましくは、条件式（４）乃至（７）の数値範囲を次のように設定するのが良い。
【００５５】
−１．９＜ｆ３／ｆ４＜−０．５          ・・・（４ａ）
０．３２＜ｆ３／ｆ１＜０．７５          ・・・（５ａ）
−１．４０＜ｆ３／ｆ２＜−０．８０      ・・・（６ａ）
−０．５５＜ｆ４／ｆＴ＜−０．０９      ・・・（７ａ）
また、よりさらに好ましくは、条件式（４ａ）乃至（７ａ）の数値範囲を次のように設定するのが良い。
【００５６】
−１．８＜ｆ３／ｆ４＜−０．６          ・・・（４ｂ）
０．３３＜ｆ３／ｆ１＜０．７０          ・・・（５ｂ）
−１．３０＜ｆ３／ｆ２＜−０．９０      ・・・（６ｂ）
−０．５０＜ｆ４／ｆＴ＜−０．１０      ・・・（７ｂ）
各実施例では第３レンズ群Ｌ３の一部または全体を光軸に対して垂直方向の成分を持つ方向に移動させることにより像ぶれ補正を行う。本構成とすることにより、像ぶれ補正時に発生する偏心収差を良好に補正することが容易となる。
【００５７】
第３レンズ群Ｌ３は、物体側から像側へ順に、配置された正レンズと負レンズを接合した接合レンズ、正レンズを有する。本構成とすることにより、特に球面収差やコマ収差の補正を良好に行うことができる。あるいは第３レンズ群Ｌ３を光軸に対して垂直方向の成分を持つ方向に移動（シフト）させて像ぶれ補正を行った際に発生する偏心収差を良好に補正することができる。
【００５８】
第３レンズ群Ｌ３は、開口絞りＳＰを含むのが良い。本構成とすることにより、ズームレンズ全体をコンパクト化することが容易となる。ズーミングに際して第３レンズ群Ｌ３が像面に対して不動であるのが良い。本構成とすることにより、ズーミングを行う駆動機構を簡素化することが容易となる。
【００５９】
第４レンズ群Ｌ４の一部または全体を光軸に沿って移動させることによりフォーカシングを行うのが良い。本構成とすることにより、フォーカスを行った際の諸収差の変動を抑制することが容易となる。
【００６０】
第４レンズ群Ｌ４は、物体側から像側へ順に、配置された正レンズ、負レンズを有するのが良い。本構成とすることにより、特に像面湾曲や歪曲収差の補正を良好に行うことができる。あるいは、第４レンズ群Ｌ４を光軸に沿って移動させてフォーカシングを行った際の諸収差の変動を抑制することが容易となる。
【００６１】
以上のように各実施例によれば、小型で、かつ簡易な構成で、良好な結像性能および良好な像ぶれ補正を有するズームレンズが得られる。
【００６２】
次に図１３を参照して、各実施例における撮像光学系を用いたデジタルカメラ（撮像装置）の実施形態例について説明する。図１３は、撮像装置の概略図である。
【００６３】
図１３において、２０はデジタルカメラ本体、２１は各実施例のズームレンズ（撮像光学系）である。２２はデジタルカメラ本体２０に内蔵され、撮像光学系２１を介して形成された光学像（被写体像）を受光するＣＣＤセンサやＣＭＯＳセンサ等の撮像素子（光電変換素子）である。２３は、撮像素子２２によって光電変換された被写体像に対応する情報を記録する記憶手段（メモリ）、２４は液晶ディスプレイパネルなどにより構成され、撮像素子２２の上に形成された被写体像を観察するための表示素子（ファインダ）である。
【００６４】
次に本発明の各実施例の数値実施例を示す。各数値実施例において、ｉは物体側からの面の順序を示す。
【００６５】
数値実施例においてｒｉは物体側より順に第ｉ番目のレンズ面の曲率半径である。ｄｉは物体側より順に第ｉ番目のレンズ厚及び空気間隔である。ｎｄｉとνｄｉは各々物体側より順に第ｉ番目の材料のｄ線に対する屈折率、アッベ数である。
【００６６】
ＢＦはバックフォーカスであり、レンズ最終面から近軸像面までの距離を空気換算した値である。レンズ全長は、レンズ最前面からレンズ最終面までの距離にバックフォーカスＢＦを加えた値である。
【００６７】
なお、前述のＤＴ、ＤＷ、ＢＷについても上記の定義に従うものとする。
【００６８】
また、前述の各条件式と数値実施例との関係を表１に示す。
【００６９】
（数値データ１）
単位  ｍｍ
面データ
面番号       r        d      nd         vd
1         19.782    1.32   1.60311    60.6           
2       2395.860    0.15                             
3         11.988    0.45   1.85478    24.8           
4          8.835    1.49   1.48749    70.2           
5         18.845  (可変)                             
6         33.781    0.40   1.83481    42.7           
7         12.163    0.85                             
8        -12.234    0.40   1.83481    42.7           
9         15.588    1.07   1.95906    17.5           
10       -311.585  (可変)                             
11(絞り)    ∞       0.20                             
12         23.038    2.08   1.48749    70.2           
13         -4.549    0.40   1.91082    35.3           
14         -8.641    1.36                             
15         80.454    1.30   1.48749    70.2           
16         -9.027  (可変)                             
17         -9.854    0.95   1.72825    28.5           
18         -6.514    1.79                             
19         -5.228    0.40   1.77250    49.6           
20        -35.753  (可変)                             
21          ∞       0.80   1.51633    64.1           
22          ∞      1.50                            
像面        ∞   
各種データ
ズーム比      3.97 
広角端    望遠端
焦点距離      13.93    55.25  
Fナンバー      5.60     6.30  
半画角（度）   12.15     3.11   
像高           3.00     3.00  
レンズ全長    41.73    41.73   
BF             4.43    11.23  
d 5            0.78    12.15   
d10           12.12     0.75     
d16            9.80     3.00    
d20            2.40     9.20     
レンズ群データ
群  始面    焦点距離  
1    1      26.90  
2    6      -9.80  
3   11      11.22  
4   17     -12.70  
GB   21       ∞    
像ぶれ補正レンズ群    第３レンズ群
広角端における像ぶれ補正角    −３．０度  （シフト量  ＋０．３６４ｍｍ）
望遠端における像ぶれ補正角    −１．５度  （シフト量  ＋０．６７９ｍｍ）
フォーカスレンズ群    第４レンズ群
（数値データ２）
単位  ｍｍ
面データ
面番号       r        d      nd         vd
1         18.951    1.29   1.60311    60.6           
2        536.562    0.15                             
3         11.186    0.45   1.85478    24.8           
4          8.281    1.34   1.48749    70.2           
5         16.788  (可変)                             
6         36.096    0.40   1.83481    42.7           
7         13.545    0.79                             
8        -12.399    0.40   1.83481    42.7           
9         14.872    1.04   1.95906    17.5           
10        309.176  (可変)                             
11(絞り)    ∞       0.20                             
12         13.225    1.99   1.48749    70.2           
13         -5.018    0.40   1.91082    35.3           
14        -10.057    0.23                             
15         85.124    1.14   1.48749    70.2           
16        -10.610  (可変)                             
17        -49.493    1.18   1.62588    35.7           
18         -7.924    1.43                             
19         -5.636    0.40   1.77250    49.6           
20         58.472  (可変)                             
21          ∞       0.80   1.51633    64.1           
22          ∞       1.50                             
像面        ∞   
各種データ
ズーム比      3.48 
広角端    望遠端
焦点距離      13.93    48.50  
Fナンバー      5.60     6.30  
半画角（度）   12.15     3.54   
像高           3.00     3.00    
レンズ全長    38.73    38.73  
BF             4.42    10.93  
d 5            0.79    11.23    
d10           11.20     0.75     
d16            9.50     3.00     
d20            2.40     8.90     
レンズ群データ
群  始面    焦点距離  
1    1      26.90  
2    6      -9.82  
3   11      11.00  
4   17     -14.22  
GB   21       ∞    
像ぶれ補正レンズ群    第３レンズ群
広角端における像ぶれ補正角    −３．０度  （シフト量  ＋０．３８３ｍｍ）
望遠端における像ぶれ補正角    −１．５度  （シフト量  ＋０．６０９ｍｍ）
フォーカスレンズ群    第４レンズ群
（数値データ３）
単位  ｍｍ
面データ
面番号       r        d      nd         vd
1         22.696    1.48   1.60311    60.6           
2       -582.068    0.15                             
3         12.233    0.45   1.85478    24.8           
4          9.270    1.71   1.49700    81.5           
5         19.153  (可変)                             
6        343.667    0.40   1.83481    42.7           
7         20.802    0.62                             
8        -17.856    0.40   1.83481    42.7           
9          9.575    1.09   1.95906    17.5           
10         29.084  (可変)                             
11(絞り)    ∞       0.20                             
12         28.013    2.20   1.48749    70.2           
13         -4.516    0.40   1.91082    35.3           
14         -8.505    1.38                             
15         40.584    1.36   1.48749    70.2           
16         -9.242  (可変)                             
17        -12.013    1.01   1.72825    28.5           
18         -6.230    1.28                             
19         -4.709    0.40   1.77250    49.6           
20         44.234  (可変)                             
21       -101.818    1.09   1.48749    70.2           
22        -11.566    1.00                             
23          ∞       0.80   1.51633    64.1           
24          ∞       1.50                            
像面        ∞   
各種データ
ズーム比      4.95 
広角端    望遠端
焦点距離      13.93    69.00  
Fナンバー      5.60     6.60  
半画角（度）   12.15     2.49   
像高           3.00     3.00   
レンズ全長    44.73    44.73   
BF             3.03     3.03  
d 5            1.12    14.02    
d10           13.65     0.75   
d16            9.50     3.00     
d20            1.81     8.31    
レンズ群データ
群  始面    焦点距離  
1    1      27.78  
2    6      -9.29  
3   11      10.97  
4   17      -8.79  
5   21      26.66  
GB   23       ∞
像ぶれ補正レンズ群    第３レンズ群
広角端における像ぶれ補正角    −３．０度  （シフト量  ＋０．３３３ｍｍ）
望遠端における像ぶれ補正角    −１．５度  （シフト量  ＋０．８１０ｍｍ）
フォーカスレンズ群    第４レンズ群
（数値データ４）
単位  ｍｍ
面データ
面番号       r        d      nd         vd
1         22.738    0.92   1.60311    60.6           
2         46.884    0.15                             
3         14.448    0.45   1.85478    24.8           
4         10.573    1.63   1.48749    70.2           
5        217.638  (可変)                             
6        218.923    0.40   1.77250    49.6           
7         12.813    0.84                             
8         -9.498    0.40   1.77250    49.6           
9         90.407    0.94   1.95906    17.5           
10        -27.553  (可変)                             
11(絞り)    ∞       0.20                             
12         17.920    1.74   1.60311    60.6           
13         -6.487    0.40   2.00100    29.1           
14        -12.550    0.20                             
15         30.857    1.03   1.48749    70.2           
16        -26.736  (可変)                             
17         20.745    1.41   1.53172    48.8           
18         -9.069    1.46                             
19         -6.370    0.40   1.69680    55.5           
20         13.959  (可変)                             
21        -15.000    0.50   1.48749    70.2           
22        -20.000    1.00                             
23          ∞       0.80   1.51633    64.1           
24          ∞       1.50                            
像面        ∞   
各種データ
ズーム比      3.48 
広角端    望遠端
焦点距離      13.93    48.50    
Fナンバー      5.60     6.30     
半画角（度）   12.15     3.54   
像高           3.00     3.00    
レンズ全長    40.43    40.43    
BF             3.03     3.03   
d 5            0.60    11.68  
d10           11.83     0.75   
d16            9.49     3.00    
d20            2.41     8.91    
レンズ群データ
群  始面    焦点距離  
1    1      27.47  
2    6     -10.03  
3   11      11.96  
4   17     -18.67  
5   21    -127.25  
GB   23      ∞
像ぶれ補正レンズ群    第３レンズ群
広角端における像ぶれ補正角    −３．０度  （シフト量  ＋０．３７７ｍｍ）
望遠端における像ぶれ補正角    −１．５度  （シフト量  ＋０．５８９ｍｍ）
フォーカスレンズ群    第４レンズ群
【００７０】
【表１】
2020160198.tif 000003
【符号の説明】
【００７１】
Ｌ１…第１レンズ群
Ｌ２…第２レンズ群
Ｌ３…第３レンズ群
Ｌ４…第４レンズ群
Ｌ５…第５レンズ群
【図１】
2020160198.tif 000004
【図２】
2020160198.tif 000005
【図３】
2020160198.tif 000006
【図４】
2020160198.tif 000007
【図５】
2020160198.tif 000008
【図６】
2020160198.tif 000009
【図７】
2020160198.tif 000010
【図８】
2020160198.tif 000011
【図９】
2020160198.tif 000012
【図１０】
2020160198.tif 000013
【図１１】
2020160198.tif 000014
【図１２】
2020160198.tif 000015
【図１３】
2020160198.tif 000016